(57)【要約】【課題】在館者が、最適な避難経路や退館経路を直観的に判断することができ、かつ、既存の建物であっても、その構造に関わらず低コストで配備することのできる誘導照明システムを提供すること。【解決手段】建物内に複数設置された検出器と、前記建物内を照明する複数の照明装置と、前記検出器からの検出信号を受け取って退去原点の位置を特定する特定部と、前記特定部からの特定結果を受け取って前記建物内から外部への誘導経路を決定する決定部と、前記決定部によって決定された誘導経路に従って、誘導すべき方向に向かって次第に明るくなるように前記照明装置を制御する制御部とを有する。【選択図】図１
2011203973.tif 000002
【特許請求の範囲】
【請求項１】
建物内に複数設置された検出器と、
前記建物内を照明する複数の照明装置と、
前記検出器からの検出信号を受け取って退去原点の位置を特定する特定部と、
前記特定部からの特定結果を受け取って前記建物内から外部への誘導経路を決定する決定部と、
前記決定部によって決定された誘導経路に従って、誘導すべき方向に向かって次第に明るくなるように前記照明装置を制御する制御部とを有することを特徴とする誘導照明システム。
【請求項２】
前記検出器は火災検出器であり、
前記特定部は、前記火災検出器からの検出信号を受け取って前記退去原点として火災の発生場所を特定し、
前記決定部は、前記特定部からの特定結果を受け取って前記建物内から外部への避難誘導経路を決定することを特徴とする請求項１に記載の誘導照明システム。
【請求項３】
前記制御部は、退去原点ならびに退去の使用に不適切な通路および昇降手段の照明を消し、前記退去原点ならびに前記退去の使用に不適切な通路および昇降手段から外部への出口に向かう方向に徐々に明るくなるように、複数の前記照明装置の照度を制御することを特徴とする請求項１または２に記載の誘導照明システム。
【請求項４】
前記制御部は、退去原点ならびに退去の使用に不適切な通路および昇降手段の照明を消し、前記退去原点ならびに前記退去の使用に不適切な通路および昇降手段から外部への出口に向かう方向に進むに従って点灯する前記照明装置の数を徐々に多くするように、複数の前記照明装置の点灯および消灯を制御することを特徴とする請求項１に記載の誘導照明システム。
【発明の詳細な説明】
【技術分野】
【０００１】
本発明は、誘導照明システムに関し、さらに詳しくは、建物内に設置された照明を用いて人々を適切な方向へ誘導する誘導照明システムに関する。
【背景技術】
【０００２】
宿泊施設や商業施設等の建物において、火災発生時に建物内の人々を安全かつ速やかに建物外部に誘導することは非常に重要である。従来、火災発生時には非常ベルが鳴り、続いて館内放送によって状況が伝達されている。館内の人々は、その館内放送を聞き、避難口を示す誘導灯や係員の誘導に従って避難口へと避難する。
【０００３】
緊急避難時には、初期避難が早いほど被害を少なくでき、高い安全性を確保できると考えられる。しかし、火災が発生してから館内放送によって状況が伝達されるまでには、ある程度時間が掛かってしまう。また、各箇所について知らせる音声放送が館内全体に流れる場合もあり、その場合、自分にとって適切な経路の理解が難しいという問題がある。例えば、多数階の建物では、各階の状況が全ての階に音声案内された場合、自分のいる階の情報がどれなのかをとっさに判断するのが困難な場合もある。そうかといって、各階ごとに、あるいはエリアごとに放送を切り替えて、その階またはそのエリアの情報のみを流すのでは、時間的な誤差が生じ、ある一つの場所においては放送が流れない時間が長くなり、館内の人々にとって非常に不安な時間が長くなってしまう。さらに、音声案内では、混乱の中で音声が聞き取りづらい場合もあるし、館内構造をよく知らない人には、音声案内だけで適切な方向へ避難するのが困難な場合もある。
【０００４】
このような問題に対し、床面に避難誘導用の照明装置を設置し、避難すべき方向に向かって順次点滅させることで、避難方向を表示するシステムが提案されている。例えば、特許文献１には、Ｎ進カウンタおよび光源を内蔵し、そのＮ進カウンタのカウント数が予め設定されたカウント数と一致したときに光源を点灯させる灯具を、避難経路に沿って配列し、廊下の交差部または分岐部を中心点としてアップカウントまたはダウンカウントで灯具を順次点灯させることで、避難方向を表示することが記載されている。
【０００５】
また、特許文献２には、可視超高輝度ＬＥＤを左右両側に配列した誘導機器（照明器具）を建物の壁面および床面に設置し、その誘導機器からの照射を左右選択的に行うことで、避難する人に対して常に避難口方向から照射して、避難誘導を行うことが記載されている。
【先行技術文献】
【特許文献】
【０００６】
【特許文献１】特開平５−１２０５７５号公報
【特許文献２】特開２００６−９９７１０号公報
【発明の概要】
【発明が解決しようとする課題】
【０００７】
このように、床面や壁面に避難誘導用の照明を配置して避難口へ誘導するように点灯させることで、在館者は、誘導灯と音声放送のみによる誘導よりも早く、適切な避難方向を判断することができる。しかしながら、上記従来技術では、通常の照明とは別に、避難誘導用の照明を全館に設置する必要があるため、費用が増加する。また、既にある建造物に新たに避難誘導用の照明を設置するには大規模な改修工事が必要となり多大な時間と費用を要する。さらに、床等の構造によっては、そのような照明の設置が困難な場合もある。
【０００８】
一方、映画館や公共施設のように複数のイベント会場を持つ建物においては、イベント等が終了した会場から退場する人々は、館内の案内表示を見て出口へと向かう。ここで、その案内が判りづらかったり、案内を見落としてしまった場合には、退場者が、他のイベント会場や立ち入り禁止区域等に迷い込んでしまうこともあるし、出口をすぐに見つけられず迷ってしまうこともある。しかしながら、このような場合に在館者を適切に誘導するシステムは、提案されていない。
【０００９】
本発明はこのような状況に鑑みてなされたものであり、在館者が、最適な避難経路や退館経路等の進むべき経路を直観的に判断することができ、かつ、既存の建物であっても、その構造に関わらず低コストで配備することのできる誘導照明システムを提供することを主たる課題とする。
【課題を解決するための手段】
【００１０】
上記課題を解決するための本発明は、建物内に複数設置された検出器と、前記建物内を照明する複数の照明装置と、前記検出器からの検出信号を受け取って退去原点の位置を特定する特定部と、前記特定部からの特定結果を受け取って前記建物内から外部への誘導経路を決定する決定部と、前記決定部によって決定された誘導経路に従って、誘導すべき方向に向かって次第に明るくなるように前記照明装置を制御する制御部とを有することを特徴とする。
【００１１】
また、前記検出器は火災検出器であり、前記特定部は、前記火災検出器からの検出信号を受け取って前記退去原点として火災の発生場所を特定し、前記決定部は、前記特定部からの特定結果を受け取って前記建物内から外部への避難誘導経路を決定することとしてもよい。
【００１２】
また、前記制御部は、退去原点ならびに退去の使用に不適切な通路および昇降手段の照明を消し、前記退去原点ならびに前記退去の使用に不適切な通路および昇降手段から外部への出口に向かう方向に徐々に明るくなるように、複数の前記照明装置の照度を制御することとしてもよい。
【００１３】
また、前記制御部は、退去原点ならびに退去の使用に不適切な通路および昇降手段の照明を消し、前記退去原点ならびに前記退去の使用に不適切な通路および昇降手段から外部への出口に向かう方向に進むに従って点灯する前記照明装置の数を徐々に多くするように、複数の前記照明装置の点灯および消灯を制御することとしてもよい。
【発明の効果】
【００１４】
本発明の誘導照明システムによれば、在館者が、最適な避難経路や退館経路を直観的に判断することができ、かつ、既存の建物であっても、その構造に関わらず低コストで配備することができる。
【図面の簡単な説明】
【００１５】
【図１】本発明の第１実施形態の概略構成を示すブロック図である。
【図２】図１の誘導照明システムの制御装置における処理を示すフロー図である。
【図３】図１の誘導照明システムを用いた建物の一例を示す平面図である。
【図４】（Ａ）および（Ｂ）は、図３のフロアにおける照明制御の具体例を説明する模式図である。
【図５】本発明の第２実施形態の概略構成を示すブロック図である。
【図６】図５の誘導照明システムを用いた建物の一例を示す平面図である。
【発明を実施するための形態】
【００１６】
以下に、本発明の誘導照明システムについて、添付の図面を用いて詳細に説明する。
【００１７】
図１は、本発明の誘導照明システムの第１実施形態の概略構成を示すブロック図である。図１に示す誘導照明システム１０は、宿泊施設や商業施設等の建物内において火災が発生したときに、通常の照明用の照明装置を用いて、建物内にいる人々を避難口へと誘導するシステムである。誘導照明システム１０は、建物内の各所に設置された複数の火災報知器（火災検出器）１２と、制御装置１４と、建物内の全域に設置された複数の照明装置１６とを有する。
【００１８】
火災報知器１２は、従来用いられている押しボタン式のものや熱感知器および煙感知器等の機能を１つまたは複数備えている。複数の火災報知器１２は、それぞれ制御装置１４に接続されており、火災を検出すると、非常ベルを鳴らして周囲に警告を発するとともに、火災検出信号を制御装置１４に送る。火災報知器１２は、消防機関へ直接通報する機能を有していてもよい。
【００１９】
制御装置１４は、火元特定部１８と、誘導経路決定部２０と、館内経路ＤＢ（データベース）２２と、照明制御部２４とを有している。火元特定部１８は、火災報知器１２からの火災検出信号を受け取ると、その火災報知器１２の識別子に基づいて、退去原点となる火元（火災発生場所）を特定し、その火元特定情報を誘導経路決定部２０へ送る。
【００２０】
館内経路ＤＢ２２には、館内における火災発生場所に応じた避難経路のデータが予め蓄積されている。誘導経路決定部２０は、火元特定部１８から受け取った火元特定情報に基づいて館内経路ＤＢ２２を検索し、その火元特定情報に対応する避難経路のデータを読み出して、誘導経路として決定し、その誘導経路の情報を照明制御部２４へ送る。照明制御部２４は、誘導経路決定部２０によって決定された誘導経路に従って、誘導すべき方向に向かって次第に明るくなるように、館内各所の照明装置１６を制御する。
【００２１】
なお、館内経路ＤＢ２２には、館内の通路や階段、避難口などの定常的な経路データを保存しておき、誘導経路決定部２０が、火元特定部１８からの火元特定情報と館内経路ＤＢ２２の経路データとから避難経路を計算して、誘導経路を決定するようにしてもよい。
【００２２】
照明装置１６には、白熱灯や蛍光灯などの、通常の照明装置を用いることができる。
【００２３】
図２は、制御装置１４における処理を示すフロー図である。図２に示すように、通常時は、制御装置１４の誘導経路決定部２０が、館内の各所を火元と想定した避難経路をそれぞれ設定し、そのデータを館内経路ＤＢ２２に蓄積するとともに（ステップＳ１）、照明制御部２４が、館内の照明を通常の照明状態に制御する（ステップＳ４）。
【００２４】
一方、火災時には、制御装置１４が火災報知器１２による発報信号（火災検出信号）を受け取ると（ステップＳ２）、誘導経路決定部２０が火災発生場所に応じた避難経路を計算または選定し（ステップＳ３）、決定した誘導経路に従って館内の照明を制御する（ステップＳ４）。
【００２５】
ここで、照明制御部２４による照明装置１６の制御方法について具体的に説明する。図３は、誘導照明システム１０を用いた建物の一例を示す平面図である。同図に示すフロア３０は、複数階の建物における１つの階（Ｎ階）のフロアであり、フロア３０の長手方向両側に続いた居室３２，３８と、フロア３０の中央部分に設けられた居室３４，３６と、図中、左端、中央および右端に設けられた階段４０，４２，４４と、居室の間の通路４６，４８と、通路４６，４８の天井に所定の間隔で配列された照明装置１６を構成する照明装置５０（５０ａ，５０ｂ，５０ｃ・・・）および５２（５２ａ，５２ｂ，５２ｃ・・・）とを有している。照明装置は、実際には居室内や階段部分にも配置されているが、ここでは説明を明確にするために、通路４６および４８に設けられた照明５０および５２についてのみ説明する。
【００２６】
なお、居室の照明装置は、例えば、通常時は全て点灯させ火災発生時は全て消灯すればよく、また、階段部分の照明装置は、通常時は全て点灯させ火災発生時は使用しては危険な階段部分（例えば、階段４２）は消灯し、使用しても安全な階段部分（例えば、階段４０、４４）を点灯すればよい。
【００２７】
通常時は、誘導照明システム１０の照明制御部２４は、照明装置５０，５２を全て点灯させ、フロア３０の全通路を照明する。一方、火災発生時には、例えば火元５４が居室３４であったときは、居室３４の周囲と居室３４に近い階段４２の領域が暗くなり、火元５４から安全な避難口となる両端の階段４０および４４に向かうに従って明るくなるように、照明装置５０，５２を制御する。
【００２８】
図４（Ａ）および（Ｂ）は、図３のフロア３０における火災時の照明制御の具体例を説明する模式図である。なお、図４には、フロア３０のうち、階段４０，４２，４４、照明装置５０（５０ａ，５０ｂ，５０ｃ・・・）および５２（５２ａ，５２ｂ，５２ｃ・・・）、ならびに火元５４のみが示されている。
【００２９】
照明制御部２４は、照明装置５０，５２が、白熱灯などのように調光機等を用いて照度を変化させられるものである場合には、図４（Ａ）に示すように、火元５４およびその直近の階段４２の領域の照明装置５０，５２を消灯させ、火元５４および階段４２から左側の階段４０に向かうに従って、照明装置５０，５２の照度を徐々に明るくするように照度を制御する。右側についても同様に、火元５４および階段４２から階段４４に向かうに従って、照明装置５０，５２の照度を徐々に明るくするように照度を制御する。
【００３０】
また、照明制御部２４は、図４（Ｂ）に示すように、火元５４およびその直近の階段４２の領域の照明装置５０，５２を消灯させ、火元５４および階段４２から階段４０または階段４４に向かうに従って、照明装置５０，５２の点灯させる数を、３個おき、２個おき、１個おきというように、徐々に増やし、階段４０および階段４４付近は全部点灯させるように点灯している照明装置の数を制御することで、火元５４および階段４２から、安全な階段４０または階段４４の方向に向かって徐々に明るくしてもよい。図４（Ｂ）の形態は、照明装置５０，５２が、蛍光灯のように照度を変化させるのが困難な照明装置である場合にも採用することができる。
【００３１】
このように、火元付近および使用が好ましくない昇降手段や通路の領域の照明を暗くし、安全に避難できる方向に向かって照明を明るくすることで、館内の人々は、危険な領域と安全な領域を直感的に判断することができ、より安全な方向へ速やかに避難することができる。すなわち、誘導照明システム１０は、上記のように照明装置を制御することで、人々を安全に避難誘導することができる。
【００３２】
次に、本発明の第２実施形態について説明する。図５は、本発明の誘導照明システムの第２実施形態の概略構成を示すブロック図である。同図に示す誘導照明システム６０は、イベント会場（例えば、映画館や公共施設）等の、１つのフロアに複数の会場をもつ建物内において、一つの会場でのイベントが終わったときに、通常の照明用の照明装置を用いて、その会場から退場する人々を建物またはそのフロアからの出口へと誘導するシステムである。誘導照明システム６０は、各会場のドアに取り付けられたドア開放検出器６２と、制御装置６４と、建物内の全域に設置された複数の照明装置６６とを有する。
【００３３】
制御装置６４は、ドア特定部６８と、誘導経路決定部７０と、館内経路ＤＢ７２と、照明制御部７４とを有している。ドア特定部６８は、ドア開放検出器６２からの信号を受け取ると、そのドア開放検出器６２の識別子に基づいて、開放されたドアを特定し、そのドア情報を誘導経路決定部７０へ送る。
【００３４】
館内経路ＤＢ７２には、館内の各会場から出口までの経路が予め蓄積されている。誘導経路決定部７０は、ドア特定部６８から受け取ったドア特定情報に基づいて館内経路ＤＢ７２を検索し、ドアが開放された会場からフロア出口までの経路のデータを読み出して、誘導経路として決定し、その誘導経路の情報を照明制御部７４へ送る。照明制御部７４は、誘導経路決定部７０によって決定された誘導経路に従って、誘導すべき方向に向かって次第に明るくなるように、館内各所の照明装置６６を制御する。
【００３５】
なお、館内経路ＤＢ７２には館内の通路や階段、出口などの定常的な経路データを保存しておき、誘導経路決定部７０が、ドア特定部６８からのドア特定情報と館内経路ＤＢ７２の経路データとから誘導経路を計算して決定するようにしてもよいのは、上述の第１実施形態と同様である。
【００３６】
照明装置６６には、白熱灯や蛍光灯などの、通常の照明装置を用いることができる。
【００３７】
図６は、誘導照明システム６０を用いた建物の一例を示す平面図である。同図に示すフロア８０は、６つのイベント会場８２，８４，８６，８８，９０，９２と、各会場のドア付近に設けられたドア開放検出器６２（６２ａ〜６２ｆ）と、イベント会場８２〜９２の中央に設けられた通路９４と、フロア８０の出口９６と、通路９４の天井に所定の間隔で配列された照明装置６６とを有している。
なお、図６では、説明を明確にするために、イベント会場内の照明および出口９６付近のロビーの照明等は省略している。
【００３８】
各イベント会場８２〜９２でのイベントが進行中またはイベントが無く、会場のドアが全て閉鎖されているときは、誘導照明システム６０の照明制御部７４は、照明装置６６を全て点灯または消灯させる。いずれかのイベント会場でのイベントが終わり、ドアが開放されると、照明制御部７４は、そのイベント会場からフロア８０の出口９６までの通路７４が、出口に向かって徐々に明るくなるように、照明装置６６を制御する。
【００３９】
例えば、図６に示すように、会場８４でのイベントが終わり、会場８４のドアが開放されると、ドア開放検出器６２ｂによってそれが検出される。次に、制御装置６４のドア特定部６８によって、ドアが開放されたのが会場８４のドアであること、すなわち退去原点が会場８４であることが特定され、続いて、誘導経路決定部７０によって、イベント会場８４から出口９６までの誘導経路が決定される。照明制御部７４は、決定された誘導経路の情報に従って、照明装置６６のうち、会場８４から出口９６と反対方向の照明を消灯し、会場８４から出口９６に向かうに従って徐々に照明を明るくする。照明装置６６の制御には、上記第１実施形態と同様の方法を用いることができる。
【００４０】
このように、１つのイベント会場から観客が退場するときに、その会場から出口と反対の領域や立ち入り禁止の領域の照明を暗くし、出口に向かって照明を明るくすることで、退場者は、直感的に出口方向を判断することができ、館内で迷うことなく速やかに出口へと進むことができる。すなわち、誘導照明システム６０は、上記のように照明を制御することで、人々を別の会場や立ち入り禁止区域に立ち入らせることなく、速やかに出口へと誘導することができる。
【００４１】
以上、本発明の誘導照明システムについて詳細に説明したが、本発明は上記実施形態に限定されず、本発明の主旨を逸脱しない範囲において、種々の改良や変更をしてもよい。例えば、上記では、イベント会場から退場する人々を出口まで誘導する例について説明を行ったが、本発明の誘導照明システムは、イベントの進行にしたがって、所定の経路で人々を誘導する形態等に適用することもできる。
【符号の説明】
【００４２】
１０、６０・・・誘導照明システム
１２・・・火災報知器
１４、６４・・・制御装置
１６、５０、５２、６６・・・照明装置
１８・・・火元特定部
２０、７０・・・誘導経路決定部
２２、７２・・・館内経路ＤＢ
２４、７４・・・照明制御部
３０、８０・・・フロア
３２、３４、３６、３８・・・居室
４０、４２、４４・・・階段
４６、４８、９４・・・通路
５４・・・火元
６２・・・ドア開放検出器
６８・・・ドア特定部
８２、８４、８６、８８、９０、９２・・・会場
９６・・・出口
【図１】
2011203973.tif 000003
【図２】
2011203973.tif 000004
【図３】
2011203973.tif 000005
【図４】
2011203973.tif 000006
【図５】
2011203973.tif 000007
【図６】
2011203973.tif 000008